(57)【要約】      （修正有）【課題】河川における河水の水質浄化、加えて水中の動植物が繁殖し易い自然に即した河床環境に整えるための効率のよいブロックとその構築構造を実現する。【解決手段】長手方向に沿って両端に貫通する空洞通路３を設け、その胴側に空洞通路３に通じる透孔４，４を穿設した二本の筒状通路部材２を上下方向の斜めに垂木状に組み合わせてボルトナットなどで結合し、この垂木状通路部材２，２の二組を間隔をおいて配した下部を河床９を掘削して据え付けて、相互間に横木状の通路部材２，２を渡し組んでボルトナットなどで結合して片屋根組み形のブロック１を構成する。【選択図】      図１０
2004201657.tif 000002
【特許請求の範囲】
【請求項１】
長手方向に沿って空洞通路を有する通路部材の胴側に少なくとも一つの空洞通路に通じる透孔を穿設し、該通路部材の複数を一部または全部を上下方向に配して組み合わせ結合して成る河床用多目的ブロック。
【請求項２】
前記通路部材は、上下方向に配した一部または全部の上部に、一方を拡張させて導入口とした筒状の導水部材を嵌合して取り付け空洞通路を連通させて成る請求項１の河床用多目的ブロック。
【請求項３】
前記通路部材は、複数の透孔を穿設し、空洞通路を透孔を配して仕切る少なくとも一つの隔壁を取り付けて成る請求項１または２の河床用多目的ブロック。
【請求項４】
河水が流れる河川の河床に、長手方向に沿って空洞通路を有する通路部材の胴側に少なくとも一つの空洞通路に通じる透孔を穿設し、該通路部材の複数を一部または全部を上下方向に配して組み合わせ結合したブロックの下部を据え付け、上部を河水中に突出すべく固定構築した河床用多目的ブロックの構築構造。
【請求項５】
前記ブロックは、上下方向に配した通路部材の一部または全部の上部に、一方を拡張させて導入口とした筒状の導水部材を嵌合して取り付け空洞通路を連通させて成る請求項４の河床用多目的ブロックの構築構造。
【請求項６】
前記ブロックは、上下方向に配した通路部材の一部または全部の下端に、長手方向に沿って空洞通路を有し、該空洞通路に通じる透孔を胴側に少なくとも一つ穿設した継部材を嵌着継合して成る請求項４または５の河床用多目的ブロックの構築構造。
【請求項７】
前記ブロックは、通路部材に複数の透孔を穿設し、該空洞通路を透孔を配して仕切る少なくとも一つの隔壁を取り付けて成る請求項４乃至６のいずれか１の河床用多目的ブロックの構築構造。
【請求項８】
前記ブロックは、低水位にも河水が流れる河川における河床に据え付けて構築した請求項４乃至７のいずれか１の河床用多目的ブロックの構築構造。
【請求項９】
前記ブロックは、低水位の河川の河床においてブロックによる乱流でブロック群周辺に澪筋部を形成すべく流れ方向に沿って配列構築した請求項８の河床用多目的ブロックの構築構造。
【発明の詳細な説明】
【０００１】
【発明の属する技術分野】
この発明は、河川における河水中の河床環境を水中の動植物が繁殖し易い自然に即した環境に整えるためのブロックとその構築構造に関する。
【０００２】
【従来の技術】
元来、河川は上流では急激な勾配と、河床に大きな岩や岩石が点在することにより流れに早さと変化を起こし、この流れの変化により自然に粒径を異にする土砂、砂利が堆積して、流れの違いにより各々異質の河床環境を形成し、これが苔などの水中植物を育てることと相俟って水質を浄化すると共に、この水中植物を餌とする渓流魚などの水中動物が棲息するなど、自然の自助作用が働く河川環境が形成されている。
【０００３】
これが下流に行くに従って、中流域では河床に岩などが点在することが少なくなり、加えて流れも緩やかとなって、粒径の小さい土砂、砂利、砂などが混在して堆積し、さらに下流の海や湖に接する河口域部分では、凹凸変化の全くない河床に加え、海などの水位とも関係して、一層流れが緩慢となり、平野地での住宅環境とも相俟って、ヘドロ状態に沈滞した河床が形成され、水質悪化は勿論、水中動植物の育つ環境を保持することができない河川環境となってきている。
【０００４】
これまで田畑、土地、家屋など建造物等を洪水から護るため、河川を拡幅し、また直線的に改修して河水が早く海、湖等に流出できるよう工事され、或いは上流にダムを建設することにより、これら下流域での洪水被害を防いできた。
【０００５】
その結果、大雨が山地の土砂、岩石を押し流し、ダムに流入堆積して、ダムの容水率を小さくするばかりでなく、元来下流域に供給されるべき土砂等が押し流れてこなくなって、下流域での土砂等の堆積が少なくなり、その分細粒化した堆積物により河床が形成され、前記ヘドロ化の傾向に拍車をかけている。
【０００６】
平成９年に河川法が改正され、河川の護岸などに多自然型の工法が採り入れられていて、護岸工法ではこれまで用いられていたコンクリートブロックを敷き詰める工法に代わり、蛇かごを用いた工法が採用されつつあり、河床においても洗掘防止のブロックを敷き詰める工法から金網を用いた籠マット工法へと推移している。
【０００７】
そこで、河川自体もその流れを直行形から蛇行形へと、その改修構築形態が変化してきており、河川を取り巻く環境、これに生息する生物、ことに河川に棲息している魚などのうち、絶滅の危機にさらされている品種については、その対策も考慮され、河川における自然環境を復元させる工法、とりわけ河床において各種のブロックが試みられている。
【０００８】
本出願人においても、内部に空間を有するコンクリートブロックから成る植栽ブロックと根育成ブロックとを組み合わせて形成した内部空間に、客土等の根支持材を収容し、植栽ブロックには植物の芽又は幹が外方に突出するための芽幹用開口部を、根育成ブロックと植栽ブロックとの接面には植栽された植物の根を伸ばすための連通する根伸長用開口部を設けた植物育成ブロックの河川等の河床面への設置構造が試みられている（特開２００２−１１２６２６号）。
【０００９】
また、開口部を設けた略升状又は略碗状のコンクリート製ブロックを、河川等の底面との間に空間が形成されるよう逆さまに配し、該空間が前記開口部に連通するよう設置したブロック構造が試みられている（特願２００１−２２２６６９号）。
【００１０】
さらに、上方を開放した開口部と、これに続く空洞ブロックを設けた排水機能を有する器形の植生器体から成る河床用構築材により河床に構築することも試みてみた（特願２００２−７３２６３号）。
【００１１】
【発明が解決しようとする課題】
しかし、いずれの技術もブロック自体の構成が複雑で、構築施工も煩雑であることから、河床への構築コストが高くなり、最適とまでは行かず、今のところ効率の良い最適なブロック構成および構築構造の見当たらないのが現状である。
【００１２】
具体的には、いずれのブロック構築構造も、植物の育成を考慮する余り、河床における河水の流れがブロック構成による抵抗の変化で河床の土砂組織を様々に変化させ、また河水の流れに対しブロックの内部空間への河水の通りを良くし河水の出入りを活発にすることまでの配慮が及んでいないため、効率の良い水質浄化の点で問題の残るブロック構築構造であった。
【００１３】
この発明の目的は、上記のような従来技術のコスト高を解消し、簡潔なブロック構成により、河川における河水の流れを利用して河床の環境を自然に近い状態に復元して、河川における水質浄化とこれによる動植物の育成を促進し、加えて河川の流水域（水量）の変化を考慮して、効率の良いブロック構築構造を実現することにある。
【００１４】
【課題を解決するための手段】
この発明は上記河床用ブロックおよびその構築構造における問題を解消するため、長手方向に沿って両端に貫通する空洞通路を有する任意形状の筒状の通路部材の胴側に、空洞通路に通じる少なくとも一つ、またはそれ以上の透孔を穿設し、該通路部材の複数を、一部または全部を上下方向に立て配すべく任意構造に組み合わせて結合した河床用多目的ブロックを提案する。
【００１５】
水中河床部で受ける流水の抵抗が小さい筒状通路部材による組み合わせ構成は、ブロックの下部を河床中に埋没させて据え付け固定し、ブロック上部の通路部材を河床部から水中に突出させて構築することにより、通路部材が河床から水中に長短無作為の各方向に伸長突出することで、ブロック周辺の河水の流れに方向および強弱の変化を起こさせ、このうねり変化により水流を速く大気との接触面を多くして流水を浄化すると共に、ブロックの上流側、側部、下流側などの周辺河床、即ち流圧の大きいブロック周辺では粒径（重量）の小さい土砂が流し取られて抉り窪んで粒径（重量）の大きい岩石、砂利だけによる凹窪部を形成し、流圧の小さいブロック周辺では流された粒径（重量）の小さい土砂が堆積して隆起部を形成することによって、河水の流れを利用して上流域でみられるような組織および形状に変化ある河床を形成して活発な流れを起こして鮎などが好む水苔の着生再生を頻繁に繰り返すことのできる河床環境に整え、中流域から河口域にかけて清流動物などが棲息することができる綺麗な水質の河川に蘇らせる。
【００１６】
水中に突出する各通路部材の空洞通路に上部の開口部および透孔から流水を導入して下部の開口部および透孔から円滑に流過させる過程での接触作用により、或いは河床部において下端開口部から伏流水として流過させることによっても河床から湧水を起こさせて、河床を清掃し流水を浄化させると共に、河床を水中の動植物の生息し易い環境に整える。
【００１７】
河床より突出するブロックの通路部材の空洞通路に上部の開口部または透孔から流入した土砂が堆積し、また接触濾過材を充填して、これら空洞通路に堆積充填した土砂等を流水が透過して河水を浄化する。
【００１８】
【発明の実施の形態】
この発明に係る河床用多目的ブロックとその構築構造の実施形態を説明すると、長手方向に沿って両端に貫通する空洞通路を有し、直状、彎曲状、屈折状、分岐状などに形成した筒状の通路部材の胴側に、空洞通路に通じる少なくとも一つ、または複数の透孔を任意の大きさに穿設し、該通路部材の複数を、一部または全部を上下方向に配すべく、櫓状、寄せ棟状、杭状、その他の任意構造に組み合わせ結合して河床用多目的ブロックを構成し、河川における流水域の河床を掘削して前記ブロックの下部を据え付けて埋め戻し、または打ち込み突き立てて据え付け固定し、ブロック上部の通路部材を河床部から水中に突出させて構築することにより、通路部材、殊に上下方向に配して立設させた通路部材が、河床から水中に長短無作為の各方向に伸長突出することで、上端から空洞通路に流水を導入し、透孔および下端から円滑に流過させ、河床内に伏流させる。
【００１９】
このブロックで河床部に凹凸変化を形成し、これが河水の流れに乱れと速さを起こさせ、この流れの変化によりブロック周辺の河床に、上流域でみられるような粒径の大きい岩石、砂利などが集中堆積する凹窪部と粒径の小さい土砂などが集中堆積する隆起部とによる組織的および形状的変化を形成して、水苔などが着生し、これにより前記通路部材の空洞通路による流過機能と相俟って、流水を浄化し清流動物などが棲息できる自然な河床環境に整えるものである。
【００２０】
【実施例】
この発明を実施せる河床用多目的ブロックを図面を用いて説明すると、図１は河床用多目的ブロックの一実施例を示す図で、内部に長手方向に沿って両端に貫通する空洞通路３を設けた断面方形をなすコンクリート製の筒状通路部材２の胴側に、空洞通路３に通じる透孔４，４を穿設し、二本の通路部材２，２を上下方向の斜めに垂木状に組み合わせ、この垂木状通路部材２，２の二組を間隔をおいて配し相互に横木状の通路部材２，２を渡し組んで、それぞれの合わせ部をボルトナット（図示省略）などの結合部材で結合して片屋根組み形のブロック１を構成する。
【００２１】
【実施例】
河床用多目的ブロックの他の実施例を図２により説明すると、透孔４を穿設した断面方形をなす長短筒状の通路部材２，２の下部を、コンクリート製の基台５の上面に設けた窪み穴から成る支持穴５ａ，５ａに嵌合して、各通路部材２，２を任意の方向に向く状態に立て、また寝かせて組み合わせ、基台５で各通路部材２，２を結合して乱杭形のブロック１を構成する。
【００２２】
【実施例】
図３により河床用多目的ブロックの他の実施例を説明すると、基台５上の四方に貫通状の支持穴５ａ，５ａを点設し、透孔４を穿設した断面円形をなす筒状の通路部材２，２の下部を前記基台５の支持穴５ａ，５ａに嵌合立設して、空洞通路３，３の下部開口部３ｂ，３ｂを基台５下面に開放すべく組み合わせ、基台５にて通路部材２，２を間隔をおいて結合して四本柱形のブロック１を構成する。
【００２３】
図４は、基台５面に通路部材２，２を一体に植設し、通路部材２，２の空洞通路３，３の下端開口部３ｂ，３ｂを基台５の裏側に貫通させて形成した四本柱形のブロック１を示すもので、自然岩石状に形成した変流部材７を各通路部材２，２上に乗せ渡し、変流部材７の下面に突設した嵌合脚７ａ，７ａを、空洞通路３の上端開口部３ａ，３ａに嵌合装着してブロック１を構成する。
【００２４】
ブロック１を構成する筒状の通路部材２は、図５に示すように直状で断面形状を（ａ）の円形、（ｂ）の方形、（ｃ）の六角形、（ｄ）の角形に形成し、また前記直状の通路部材２のほか（ｅ）のように各方向に屈曲２ｄさせた屈曲通路部材２、（ｆ）のように分岐部２ｅを設けた分岐通路部材２、その他任意の形状構造に形成した通路部材２を用い、空洞通路３に通じる透孔４を穿設する。
【００２５】
（ａ）における２ｆは円形通路部材２の外側面に設けた凹凸粗面で、該凹凸粗面２ｆが後述の河床に立設したブロックの河水中に突設せる通路部材２表面に水苔などの水中植物が着生し易くすると共に、節足動物の移動を容易にして自然な河床環境作りに大いに貢献する。２ｇは通路部材２の下端を尖鋭に形成した尖端部で、この尖端部２ｇは縦状に配する通路部材２の下端に形成し、後述する縦状通路部材２を河床に打ち込み組み立てる時に、打ち込み易くするものである。
【００２６】
【実施例】
図６はブロック１を構成する通路部材２の実施例を示すもので、通路部材２に穿設した大小複数の透孔４，４のうち、大きい透孔４または通路部材２の空洞通路３上端の開口部３ａから隔壁３ｃを空洞通路３内に入れ、大きい透孔４において嵌合した隔壁３ｃで空洞通路３を透孔４，４を配した左右（上下）両側に仕切って通路部材２を構成し、該隔壁３ｃを備えた通路部材２を一部または全部に用いて、通路部材２の一部または全部を上下方向に立てた状態に配して任意に組み合わせ結合してブロック１を構成するもので、仕切った複数の空洞通路３，３および透孔４，４を通して河水が迂回流動し接触させることにより、水質浄化効率を上げるほか、空洞通路３の一部にカキ殻、活性炭、砂材などの水質浄化材を充填して、河水を空洞通路３におけるカキ殻等への透過接触により、通路部材２の水質浄化作用を積極的に働かせて浄化効果をさらに向上させる。
【００２７】
仕切壁３ｃは空洞通路３内の透孔４以外の任意の位置に嵌合設置して仕切ることも可能であり、通路部材２，２の結合構成も一例として挙げた前記基台５による嵌合または一体結合によって結合するほか、図７に示すようにボルトナット、その他任意のの結合部材１ａを用いて結合するものである。
【００２８】
【実施例】
次に、この発明に係る河床用多目的ブロックの構築構造の実施例を図８〜１２を用いて説明すると、図８に示すように河川８の水位（流量）は一年（四季）を通じて約７５％（２７５日）は、これ以下に水位（流量）が低下しない低水域Ａの状態であり、この低水域Ａは流れが緩やかで水深が浅いため、河床９にヘドロなどの汚染物質が沈滞付着して水質を悪くしている。そのため藻、水苔等の水中植物の着生はもとより、これを餌とする水中動物の繁殖は到底望めない劣悪な自然環境を形成し、その結果ごく限られた動植物しか育たない最悪の河川環境となって自助作用が働かない仮死状態の河川を呈しており、この状態は河口に近いほど顕著に現れている。Ｂは洪水時の水域を示す。
【００２９】
そこで、この図８および図９に示すように河川８における低水域Ａの河床９にブロック１，１を流れ方向に沿って各方向に蛇行または直行させて配列構築することにより、ブロック１，１群の通路部材２，２による障害抵抗で河水８ａの流れに乱れを起こさせ、この乱流が比較的緩慢な流れの低水域Ａにおけるブロック１，１群周辺の河床９を抉り流して一段深い澪筋部９ａを形成し、これが河水８ａの流れを急流活発にし、よって河水８ａの大気への接触面を大きくして効率のよい水質浄化が得られる。
【００３０】
図面は省略したが、ブロック１，１群を粒径の小さい砂などが堆積して形成される河川の合流する州部分に配列構築して、州部分のブロック１，１群に沿って河水８ａの流れを導くことにより、ブロック１，１群により河水８ａの流れに乱れを起こさせて州部分に湾処（わんど）状の別の澪筋部９ａを形成し、州部分にも自然の浄化作用が働く河川環境を造成することができる。
【００３１】
図１０において図１で説明した片屋根組み形ブロック１における通路部材２，２の下部を、河床９を掘削して据え付け大きな岩石、土砂などに加え、昨今捨て場に苦慮している産業廃棄物の大きなコンクリートガラを用いて埋め戻して固定構築し、ブロック１の上部に当たる通路部材２，２を河水８ａ中に突出することにより、水抵抗の少ない片屋根組み形構成から流水に容易に流されることなく河床９に安定良く堅固に固定することができると共に、この構築構成からブロック１の縦状通路部材２の水抵抗により河水８ａの流れに乱流を起こし、この乱流がブロック１の上方を越え流れうねって、ブロック１の上下方向に配した通路部材２，２の後方（下流側）河床９に当たり、この部分の粒径の小さい軽量の土砂９ｅだけを流して掻き抉り、残った粒径の大きい重量のある岩石、砂利９ｄで凹窪部９ｂを形成する。反対に粒径の小さい軽量の土砂９ｅは、河水８ａの抵抗が少ない前記通路部材２，２の前方（上流側）河床９に集まり堆積して盛り上がり隆起部９ｃが形成される。
【００３２】
この河床９に形成された粒径の大きい岩石、砂利９ｄ同士および粒径の小さい軽量の土砂９ｅ同士が集まることによる凹窪部９ｂおよび隆起部９ｃの変化は、河床９に構築するブロック１の構築構成によって微妙に異なるもので、ブロック１の通路部材２，２前方（上流側）および側部に河水８ａの流れ抵抗がかかる構築構成では、ブロック１周辺の河床９が全く逆の構成に変化し、例えば渇水期などにブロック１の通路部材２，２上部が河水８ａ面上から露出した場合には、河水８ａの流れ抵抗は通路部材２，２の前方（上流側）にかかり、前方（上流側）において河床９に向かってうねに流れ、後方（下流側）が流れ抵抗が弱くなるため、逆の河床構成に変化する如く、ブロック１，１の構築構成により河床９が様々に変化する。
【００３３】
このようにしてブロック１の通路部材２，２による抵抗で河水８ａの流れに乱れを起こさせ、その乱流力を利用してブロック１，１周辺の河床９に大小の岩石等９ｄ、土砂９ｅ群を堆積形成し、起伏に富んだ河床９を自然に形成して、河床９面を組織的および形状的に変化させることにより、河川８の水質汚染の著しい中流域から河口域にかけて上流域でみられるような躍動ある流れを呼び戻して水苔の着生を繰り返させ、また網目状袋に藻、水草など水生植物の根部を植生させて通路部材２の空洞通路３内に入れ繁殖させることにより、藻などのもつ光合成作用により酸素を供給して更に水質浄化作用を助長させると共に、魚類などの水中動物の繁殖し易い環境に河床９を整えるものである。
【００３４】
加えて、水中に突出する各通路部材２，２の空洞通路３，３に、河水８ａを水流を利用して上端開口部３ａ，３ａおよび上部の透孔４，４から導入して各通路部材２，２の下部の透孔４，４および下端開口部３ｂ，３ｂから流過させる過程での接触作用、さらに下端開口部３ｂ，３ｂからは河床９内で伏流水となることと相俟って河水８ａを浄化し、これによって、清流動物などが棲息し易いような自然の生態系を蘇らせる河床環境を形成するもので、通路部材２の空洞通路３は水中動物の巣ともなって透孔４および上端開口部３ａから、さらに小動物では河床９中の透孔４および下端開口部３ｂから出入りするものである。
【００３５】
【実施例】
図１１は河床用多目的ブロックの構築構造の他の実施例を示すもので、鉄筋コンクリート製の通路部材２，２を櫓形に組み、その接合部をボルトナットなどの結合部材１ａ，１ａで固定形成した櫓形ブロック１を、掘削した河床９に据え付けた鉄筋コンクリート製の基台５上に嵌合立設すべく、基台５上に穿設した支持穴５ａ，５ａにブロック１の下部を嵌合固定して立設し、河床９を埋め戻し固定する構築構造では、ブロック１は基台５に不動堅固に支持されて、通路部材２，２の櫓形構成による水抵抗の小さいことと相俟って、洪水時の水流にも流されることはなく、しかも河水８ａの基台支持穴５ａ，５ａへの縦状通路部材２，２の空洞通路３，３による循環作用により効率の良い水質浄化が得られる。
【００３６】
【実施例】
図１２は河床用多目的ブロックの構築構造の他の実施例を示すもので、鉄筋コンクリート製の通路部材２，２を片屋根形に組み、上下方向の斜め状に配した通路部材２，２の一部の上端開口部３ａ，３ａに、長さ方向に沿う内部に貫通する空洞通路６ａを有し、上口を口広に拡張して水平方向に屈曲開口した導入口６ｂを有する筒状の導水部材６の下端開口部６ｃを嵌合装着し、比較的寝かせた状態の通路部材２，２の一部の下端開口部３ｂに、長手方向に沿って貫通する空洞通路３を有し、これに通じる透孔４，４を胴側に穿設した筒状の継部材２ａの上端開口部２ｂを継合装着して略水平に配し、比較的立てた状態の通路部材２，２の下端開口部３ｂに、尖端キャップ２ｈを嵌着結合してブロック１を構成する。
【００３７】
このブロック１は上部導水部材６，６の導入口６ｂ，６ｂを上流側に向け、通路部材２に装着した尖端キャップ２ｈ部を河床９に打ち込むと共に、通路部材２の継部材２ａ、横木状の通路部材２を含む下部を掘削してあけた河床９に据え付け、通路部材２に続く継部材２ａを略水平に敷設して前記同様大きな岩石、土砂、産廃物の大きなコンクリートガラなどで埋め戻して、ブロック１の上部に当たる通路部材２，２を河水８ａ中に突出する状態に固定して構築するもので、上流側に向いた導水部材６の導入口で河水８ａを積極的に導いて縦状に配した通路部材２から河床９内に埋設した継部材２ａへと長く導き、導入した河水８ａを通路部材２および継部材２ａの透孔４，４および下端開口部３ｂ，２ｃから排出して、河床９内を伏流水として流し河床９面から湧水させることにより、河水８ａがこれら長い空洞通路３，３を潜り流れ、さらに河床９内の土砂などで接触濾過されて浄化すると共に、河床９の土砂組織内の小動物は通路部材２の上方から導入された酸素を多く含む湧水により酸欠になることなく繁殖し、これを餌とするシジミなどの水中動物の棲息を盛んにし、さらに湧水が河床９の岩石、砂利組織に付着するヘドロなどの汚れを洗い流して綺麗な河床環境を形成するに至る。
【００３８】
６ｄは導水部材６の導入口６ｂ内に装備した簀板を示し、枯れ木など植物の幹根などが通路部材２の空洞通路３内に流入して塞ぐことを防ぐために設置するもので、導水部材６は図示のように上流側に向けて屈曲させなくても、導入口６ｂの拡張した口広構成によって、直立の上向きであっても流力を利用して河水８ａを空洞通路３内に効率よく導き入れることができる効果がある。
【００３９】
このブロック１は、三面をコンクリート張で施工された既設の河川、用水路、溝渠などの河床９にも改修構築することができ、図１３に示すようにコンクリート三面張の河床９一部を切削した切開部９ｆにブロック１の通路部材２，２下部を据え付け、該切開部９ｆにコンクリート９ｇを打設し、またはコンクリート９ｇに代え大きな岩石、土砂、産廃物としてのコンクリートガラなどで埋め戻して固定構築し、また図面は省略したが、組み合わせた通路部材２，２の下部を基台により固定構成したブロックを前記河床９の切開部９ｆに嵌合して立設構築するもので、河水の通路部材２，２の空洞通路３，３と透孔４，４への流過による前記接触浄化作用が得られると共に、コンクリート河床９を流れる僅かな土砂ではあるが、永い流動過程において流水に対するブロック１の通路部材２，２の抵抗によって起きる活発な流れにより土砂が徐々にブロック１周辺に堆積し、その構築構成によってはブロック１の上流側に粒径の小さい土砂が、下流側から側部には比較的粒径の大きい砂利がそれぞれ堆積して自然の自助機能をもつ河床９を構成する。
【００４０】
この発明の河床用多目的ブロックおよびその構築構造におけるブロック１について、上記各実施例では鉄筋コンクリート製の通路部材２を組み合わせ結合する構成で説明したが、通路部材２をコンクリートをポーラス状の多孔質組織に形成することにより、前述の図５の（ａ）で説明した通路部材２の外側面に凹凸粗面２ｇを形成することによる作用効果と共に、多孔質組織によって空洞通路３への透水性と微生物（バクテリアなど）の棲息環境を形成し、その濾過機能と微生物によるリンなどの汚染物質を食し吸収分解する特性を利用して河水８ａの汚れを効率よく浄化することも可能であり、さらに通路部材２をコンクリート素材に代え水中および流力を考慮して合成樹脂または不銹金属などの素材を用い堅牢不動に構成することも可能である。
【００４１】
この発明の河床用多目的ブロックの構築構造は、前記実施例でも説明したようにブロック１の構成によっては工場で組み立て製造し、また河川現場の河床で組み立てながら、河床を掘削して据え付け埋め戻し、またはコンクリートを打設し、或いは河床に打ち込んで設置構築するものであって、通路部材２，２の組合せ構成も前記実施例で説明したブロック１のほか任意の形状、構成に組み立て結合することができ、その結合構成も前述の基台５、ボルトナットなどの結合部材１ａを用いて結合するほか通路部材２，２同士に設けた嵌合構成によっても結合することが可能である。
【００４２】
【発明の効果】
この発明の河床用多目的ブロックは、上記で説明した構成から成り、河川の河床を掘削して、ブロックの下部を簡易に且つ安価に据え付け構築することができ、しかも流水抵抗の小さい筒状通路部材の縦状組み合わせ構成により、河水の流れに流失することなく堅固に構築することができる。
【００４３】
ことに、透孔を穿設した筒状の通路部材を垂直、傾斜など任意方向の縦状に配して組み合わせ結合したブロックを、低水位にも河水が流れる河川の河床に据え付け固定し、通路部材上部を河床から河水中に突出させる構築構造により、河水の流れに勢いある乱流変化を起こさせ、この乱流力により河床を自然の自助作用が働く変化ある構造に形成すると共に、流力を利用して河水を通路部材の空洞通路に開口部および透孔を通して導入排出する河床内での伏流作用を含めた長い屈折流過により、河水の接触流動を活発にして効率の良い浄化作用をなし、これが水中の動植物が育つ良い河床環境を形成して自然な河川を復元させるもので、簡潔普遍の筒状材を用いた通路部材の組み合わせ構成により、河川において安価に、且つ効率の良い自然保護効果が得られるものである。
【図面の簡単な説明】
【図１】この発明を実施せる河床用多目的ブロックの斜視図である。
【図２】河床用多目的ブロックの他の実施例を示す斜視図である。
【図３】河床用多目的ブロックの他の実施例を示す斜視図である。
【図４】河床用多目的ブロックの他の実施例を示す斜視図である。
【図５】河床用多目的ブロックにおける通路部材の各実施例を示す斜視図である。
【図６】河床用多目的ブロックにおける通路部材の他の実施例を示す斜視図である。
【図７】河床用多目的ブロックにおける通路部材の結合構成を例示する要部の断面図である。
【図８】この発明を実施せる河床用多目的ブロックの構築構造を河川の横断方向で示す断面図である。
【図９】河床用多目的ブロックの構築構造を他の実施例で示す河川の一部平面図である。
【図１０】河床用多目的ブロックの河床での構築構造を切欠いて示す側面図である。
【図１１】河床用多目的ブロックの河床での他の構築構造を切欠いて示す側面図である。
【図１２】河床用多目的ブロックの河床での他の構築構造を切欠いて示す側面図である。
【図１３】河床用多目的ブロックの河床での他の構築構造を一部切欠いて示す斜視図である。
【符号の説明】
１      ブロック
２      通路部材
２ａ    継部材
３      空洞通路
３ｂ    下端開口部
３ｃ    隔壁
４      透孔
６      導水部材
６ａ    空洞通路
６ｂ    導入口
８      河川
８ａ    河水
９      河床
９ａ    澪筋部
Ａ      低水域
【図１】
2004201657.tif 000003
【図２】
2004201657.tif 000004
【図３】
2004201657.tif 000005
【図４】
2004201657.tif 000006
【図５】
2004201657.tif 000007
【図６】
2004201657.tif 000008
【図７】
2004201657.tif 000009
【図８】
2004201657.tif 000010
【図９】
2004201657.tif 000011
【図１０】
2004201657.tif 000012
【図１１】
2004201657.tif 000013
【図１２】
2004201657.tif 000014
【図１３】
2004201657.tif 000015